(57)【要約】【課題】蓋体を開放操作した際の使用感を向上する。【解決手段】操作部材５８にロック部材４１を押圧する押圧部６３を設けるとともに、ロック部材４１に押圧部６３による押圧を受ける押圧受部５１を設ける。また、押圧部６３および押圧受部５１のうち少なくとも一方に、傾斜角度が異なる第１および第２摺接部６４，６５を設け、これらが交わる切替部６６を、被係止部１６と係止部４４との係止が解除された後に第１摺動部６４から第２摺接部６５に切り替わるように設定する。【選択図】図８Ａ
2015213692.tif 000002
【特許請求の範囲】
【請求項１】
加熱手段を有する機器本体と、
前記機器本体に配設された蓋体と、
前記機器本体および前記蓋体の一方に配設され、他方に形成された被係止部に係止する係止部を含む移動可能なロック部材と、前記被係止部と前記係止部との係止を解除する係止解除方向に前記ロック部材を移動させる操作部材とを有するロック機構と
を備えた加熱機器において、
前記操作部材に前記ロック部材を押圧する押圧部を設けるとともに、前記ロック部材に前記押圧部による押圧を受ける押圧受部を設け、
前記押圧部および前記押圧受部のうち少なくとも一方に、傾斜角度が異なる第１および第２摺接部を設け、前記第１および第２摺接部が交わる切替部を、前記第１摺接部の当接により前記ロック部材を係止解除方向に移動させ、前記被係止部と前記係止部との係止が解除された後に前記第２摺接部に切り替わるように設定したことを特徴とする加熱機器。
【請求項２】
前記押圧部は、前記操作部材の操作方向に突出するとともに前記ロック部材の移動方向に延び、その操作方向の先端縁に前記第１および第２摺接部が形成されていることを特徴とする請求項１に記載の加熱機器。
【請求項３】
前記第１摺接部の傾斜角度は、前記第２摺接部の傾斜角度より小さいことを特徴とする請求項１または請求項２に記載の加熱機器。
【請求項４】
前記第１摺接部は所定曲率で湾曲した曲線状に形成され、前記切替部を通る接線の傾斜角度が、前記第２摺接部の傾斜角度より小さいことを特徴とする請求項３に記載の加熱機器。
【請求項５】
前記ロック部材は、前記係止部を有するロック部材本体と、前記押圧受部を有し前記ロック部材本体に対して前記操作部材に向けて移動可能に配設された受部材とを有し、前記受部材が受部用付勢部材によって前記操作部材に向けて付勢されていることを特徴とする請求項３または請求項４に記載の加熱機器。
【請求項６】
前記操作部材は前記ロック部材に向けて直動可能に配設され、前記機器本体および前記蓋体の一方に、前記操作部材の遊びによる回動を規制するガイド部を設けたことを特徴とする請求項１乃至請求項５のいずれか１項に記載の加熱機器。
【請求項７】
前記操作部材に、前記ガイド部に当接する干渉部を前記操作部材の操作方向に沿って突出させたことを特徴とする請求項６に記載の加熱機器。
【発明の詳細な説明】
【技術分野】
【０００１】
本発明は、炊飯器、調理器および電気ポット等の加熱機器に関する。
【背景技術】
【０００２】
特許文献１には、加熱手段を有する機器本体と、機器本体の開口を開放可能に閉塞する蓋体とを備える加熱機器である炊飯器が記載されている。蓋体には、機器本体に形成した被係止部に係止可能なロック機構が搭載されている。このロック機構は、被係止部に係止する係止部を有する回動可能なロック部材と、ロック部材を係止解除方向に回動させる操作部材とを備える。なお、ロック部材は、ロック用付勢部材によって係止部が被係止部に係止可能な係止方向に付勢されている。
【０００３】
しかしながら、特許文献１の加熱機器は、操作部材の操作感覚が一定であり、係止が解除されたことを認識できない。そのため、係止が解除されているにも拘わらず、操作部材が他の部品に当接し、操作不可能な状態になるまで操作される。
【先行技術文献】
【特許文献】
【０００４】
【特許文献１】特開２０１１−５２１８号公報
【発明の概要】
【発明が解決しようとする課題】
【０００５】
本発明は、蓋体を開放操作した際の使用感を向上できる加熱機器を提供することを課題とする。
【課題を解決するための手段】
【０００６】
前記課題を解決する本発明の加熱機器は、加熱手段を有する機器本体と、前記機器本体に配設された蓋体と、前記機器本体および前記蓋体の一方に配設され、他方に形成された被係止部に係止する係止部を含む移動可能なロック部材と、前記被係止部と前記係止部との係止を解除する係止解除方向に前記ロック部材を移動させる操作部材とを有するロック機構とを備えた加熱機器において、前記操作部材に前記ロック部材を押圧する押圧部を設けるとともに、前記ロック部材に前記押圧部による押圧を受ける押圧受部を設け、前記押圧部および前記押圧受部のうち少なくとも一方に、傾斜角度が異なる第１および第２摺接部を設け、前記第１および第２摺接部が交わる切替部を、前記第１摺接部の当接により前記ロック部材を係止解除方向に移動させ、前記被係止部と前記係止部との係止が解除された後に前記第２摺接部に切り替わるように設定した。前記第１および第２摺接部の傾斜角度とは、操作部材の操作方向に対して直交方向に延びる基準線（面）と各摺接部とのなす角である。前記第１および第２摺接部は、直線（平面）状または曲線（曲面）状に形成される構成を含む。被係止部と係止部との係止が解除された後に第２摺接部に切り替わるとは、係止が解除されると同時に切り替わる構成、および、係止が解除された以降に切り替わる構成を含む。
【０００７】
この加熱機器は、機器本体に対して蓋体を開放する際に、操作部材を操作する。これにより、操作部材の押圧部がロック部材の押圧受部を押圧し、ロック部材を係止解除方向に移動させる。操作部材の操作量に対するロック部材の係止解除方向の移動量は、摺接部の傾斜角度によって設定される。本発明では、傾斜角度が異なる第１および第２摺接部を設けているため、第１摺接部と第２摺接部の境界である切替部で、ロック部材の移動量が変わる。そのため、切替部を乗り越える際にユーザは、操作部材を介して切り替わりによる節度感を得ることができる。そして、本発明では、被係止部と係止部との係止が解除された後に切替部を通過するように設定している。その結果、機器本体に対する蓋体の係止が解除されたことを確実に認識できるため、ユーザの使用感を向上できる。
【０００８】
前記押圧部は、前記操作部材の操作方向に突出するとともに前記ロック部材の移動方向に延び、その操作方向の先端縁に前記第１および第２摺接部が形成されている。このようにすれば、押圧部と押圧受部との間の摩擦抵抗を低減できる。よって、操作部材を操作する際の操作性を向上できる。
【０００９】
前記第１摺接部の傾斜角度は、前記第２摺接部の傾斜角度より小さい。具体的には、前記第１摺接部は所定曲率で湾曲した曲線状に形成され、前記切替部を通る接線の傾斜角度が、前記第２摺接部の傾斜角度より小さい。このようにすれば、係止解除後の第２摺接部における操作部材の押込量が、係止解除前の第１摺接部における操作部材の押込量より大きくなる。よって、機器本体に対する蓋体の係止が解除されたことを確実に認識できるうえ、より一層ユーザの使用感を向上できる。
【００１０】
前記ロック部材は、前記係止部を有するロック部材本体と、前記押圧受部を有し前記ロック部材本体に対して前記操作部材に向けて移動可能に配設された受部材とを有し、前記受部材が受部用付勢部材によって前記操作部材に向けて付勢されている。受部用付勢部材は、傾斜角度が小さい第１摺接部によって押圧される場合と、傾斜角度が大きい第２摺接部によって押圧される場合とで圧縮量が異なり、第１摺接部よる圧縮量より第２摺接部による圧縮量の方が小さい。そして、本発明では第１摺接部から第２摺接部に移ると受部用付勢部材が伸張するため、その際の圧縮変化により節度感をより認識できる。
【００１１】
前記操作部材は前記ロック部材に向けて直動可能に配設され、前記機器本体および前記蓋体の一方に、前記操作部材の遊びによる回動を規制するガイド部を設けることが好ましい。また、前記操作部材に、前記ガイド部に当接する干渉部を前記操作部材の操作方向に沿って突出させることが好ましい。このようにすれば、操作部材を設定した操作方向に確実に移動させることができるため、意図しない蓋体の開放を確実に防止できる。
【発明の効果】
【００１２】
本発明の加熱機器では、傾斜角度が異なる第１および第２摺接部を設けているため、第１摺接部と第２摺接部の境界である切替部を通過する際に、ユーザが節度感を得ることができる。そして、切替部は、被係止部と係止部との係止が解除された後に設定されているため、機器本体に対する蓋体の係止が解除されたことを確実に認識できる。
【図面の簡単な説明】
【００１３】
【図１】本発明の加熱機器を示す部分断面図。
【図２】蓋体を開放した状態を示す斜視図。
【図３】蓋体の分解斜視図。
【図４】蓋体の上板の分解斜視図。
【図５】上板の下方斜視図。
【図６Ａ】操作部材の下方斜視図。
【図６Ｂ】操作部材の底面図。
【図６Ｃ】操作部材の断面図。
【図７】操作部材の押込量とロック部材の回動量の関係を示すグラフ。
【図８Ａ】操作部材の非操作状態を示す断面図。
【図８Ｂ】操作部材の第１操作状態を示す断面図。
【図８Ｃ】操作部材の第２操作状態を示す断面図。
【図８Ｄ】操作部材の第３操作状態を示す断面図。
【図９】内圧が高い状態で操作部材を操作した状態を示す断面図。
【図１０】ロック機構の変形例を示す断面図。
【図１１】ロック機構の他の変形例を示す断面図。
【発明を実施するための形態】
【００１４】
以下、本発明の実施の形態を図面を参照して説明する。
【００１５】
図１および図２は、本発明の実施形態の加熱機器である炊飯器１０を示す。図２に示すように、炊飯器１０は、炊飯する飯米および炊飯した米飯を収容する内鍋（被加熱物）１１と、内鍋１１を着脱可能に収容する炊飯器本体（機器本体）１２と、炊飯器本体１２に開閉可能に配設した蓋体２０とを備える。本実施形態の炊飯器１０は、蓋体２０を開放操作した際に、ユーザが係止解除を認識できるようにして使用感を向上する。
【００１６】
炊飯器１０は、炊飯器本体１２内および蓋体２０内に配設した加熱手段によって内鍋１１を加熱して、予熱、昇温、沸騰維持、むらし等の各工程を有する炊飯処理を実行し、内鍋１１にセットした飯米を炊飯して米飯を炊き上げる。また、所定温度に維持するように加熱手段を制御する保温処理を実行し、炊き上げ米飯を保温する。
【００１７】
炊飯器本体１２は、有底筒状の胴体１３と、胴体１３の上端開口を覆う肩体１４とを有する外装体を備える。肩体１４の背面側には、蓋体２０を回動可能に装着するためのヒンジ接続部１５が設けられている。肩体１４の正面側には、蓋体２０を閉塞状態に維持するための係止孔（被係止部）１６が設けられている。肩体１４の中央には開口部１７が設けられ、この開口部１７の下側に内鍋１１を着脱可能に収容する収容部が形成されている。胴体１３の内部である収容部の外側に、内鍋１１を加熱する加熱手段である誘導加熱コイル（図示せず）が配設されている。
【００１８】
蓋体２０は、炊飯器本体１２のヒンジ接続部１５に回動可能に取り付けられ、内鍋１１の上端開口を含む炊飯器本体１２の上部全体を開放可能に閉塞する。図１および図３に示すように、蓋体２０は、閉塞状態で内鍋１１の側に位置する内側部材２３と、内側部材２３の上部外側を覆う外側部材２９とを有する外装体を備える。蓋体２０には、図２に示すように、内側部材２３の下側に内鍋１１の上端開口を密閉する内蓋２１が着脱可能に取り付けられている。また、蓋体２０には、図３に示すように、外側部材２９の背面側に排気通路の出口である蒸気口ユニット２２が着脱可能に取り付けられる。
【００１９】
図２および図３に示すように、内側部材２３は、炊飯器本体１２の平面視形状と同一の平面視形状に形成されている。図１に示すように、内側部材２３の正面下側には、内蓋２１を係止する係止部材２４がスライド可能に配設されている。また、内蓋２１の上部に位置するようにヒータカバーが配設され、その上面に加熱手段である蓋ヒータ（図示せず）が配設されている。
【００２０】
図３に示すように、内側部材２３の上側中央には、調圧弁収容部２５Ａ，２５Ｂが設けられるとともに、駆動機構（ソレノイドおよびステッピングモータ）２６Ａ，２６Ｂが配設されている。内鍋１１内を大気圧より高い圧力に昇圧可能とする調圧弁（図示せず）が内蓋２１に配設され、この調圧弁が調圧弁収容部２５Ａ，２５Ｂ内に配置される。加圧による変形を防止するために、内側部材２３には金属製の補強部材２７が配設されている。この補強部材２７の背面側には、蓋体２０全体を炊飯器本体１２のヒンジ接続部１５に接続するためのヒンジ軸２８が配設される。このヒンジ軸２８には、蓋体２０を開放方向に付勢するヒンジスプリング（図示せず）が配設されている。
【００２１】
図３および図４に示すように、外側部材２９は、内側部材２３の上部全体を覆うカバー本体３０を備える。このカバー本体３０には、内側部材２３に対してネジ止めして固定するための第１ネジ止め部３１と、後述する装飾パネル３４をネジ止めして固定するための第２ネジ止め部３２とが設けられている。カバー本体３０の背面側に蒸気口ユニット２２が着脱可能に配設される。また、カバー本体３０には、蒸気口ユニット２２の正面側に図示しない操作基板と液晶表示パネルを配設するパネル配設部３３が形成されている。
【００２２】
また、外側部材２９は、カバー本体３０の上面に固定される装飾パネル３４を備える。この装飾パネル３４には、蒸気口ユニット２２を露出させるための切欠部３５が形成されている。また、パネル配設部３３上に位置するように、液晶表示パネルを透視可能とする窓部３６が設けられるとともに、スイッチに対応する操作部３７が設けられている。
【００２３】
内側部材２３および外側部材２９からなる蓋体２０には、炊飯器本体１２に対して閉塞状態を維持する一方、開放操作により開放可能とするロック機構３８が設けられている。このロック機構３８は、内側部材２３に回動（移動）可能に配設したロック部材４１と、外側部材２９に直動可能に配設した操作部材５８とを備える。
【００２４】
図２および図３に示すように、内側部材２３には、補強部材２７の前側端部に、ロック部材４１を回動可能に配設するための回転軸３９が配設されている。また、内側部材２３には、ロック部材４１の係止爪部４４を貫通して炊飯器本体１２側に突出させる貫通孔４０が設けられている。そして、この内側部材２３に配設されるロック部材４１は、ロック用付勢部材であるキックバネ４６によって付勢されたロック部材本体４２と、受部付勢部材である第１コイルバネ５２によって付勢された受部材４８とを備える。
【００２５】
図３および図８Ａに示すように、ロック部材本体４２は、金属板を屈曲加工することにより形成される。このロック部材本体４２は、両端に回転軸３９が貫通されるブラケット部４３ａが形成された回転中心部４３を備える。回転中心部４３の正面両側には、貫通孔４０を貫通して肩体１４の係止孔１６に係脱可能に係止する一対の係止爪部（係止部）４４，４４がＬ字形状をなすように設けられている。また、回転中心部４３の中央には、背面上側に向けて突出する突出部４５が設けられている。
【００２６】
このロック部材本体４２は、キックバネ４６によって付勢されている。キックバネ４６は、一対の係止突部４７ａ，４７ｂを備え、一方の係止突部４７ａが内側部材２３に係止され、他方の係止突部４７ｂが回転中心部４３の下面に係止される。これによりロック部材４１は、回転軸３９を中心として、係止爪部４４が係止孔１６に係止可能な図８Ａ中反時計回りに付勢される。この反時計回りの方向を係止方向といい、係止爪部４４と係止孔１６との係止が解除される逆向きの時計回りの方向を係止解除方向という。
【００２７】
受部材４８は、ロック部材本体４２の突出部４５に挿通配置される軸部４９と、軸部４９の上端に設けられた押圧受部５１とを備える断面Ｔ字形状に形成されている。軸部４９の下部には、突出部４５からの脱落を防止するために止め金具５０が配設されている。押圧受部５１は、平面視円形状で、上部が平坦な面状に形成され、操作部材５８による押圧を受ける。押圧受部５１と突出部４５との間には第１コイルバネ５２が配設され、この第１コイルバネ５２によって操作部材５８が位置する上向きに付勢されている。第１コイルバネ５２の付勢力は、キックバネ４６の付勢力より強く設定される。
【００２８】
第１コイルバネ５２は、内鍋１１内を大気圧より高い圧力に昇圧可能とした炊飯器１０の安全機構の役割を兼ねる。即ち、内鍋１１の内圧が高くなると、蓋体２０に対して開放方向の負荷が加わるため、係止爪部４４が係止孔１６に圧接され、摩擦抵抗が増大する。第１コイルバネ５２は、この加圧状態で操作部材５８を介して受部材４８が押圧されると、収縮する付勢力（バネ定数）に設定される。また、内鍋１１の内圧が低く、係止爪部４４が係止孔１６に圧接されていない状態では、操作部材５８の操作では全く収縮しない、または、僅かに収縮する付勢力に設定される。
【００２９】
図４に示すように、外側部材２９のカバー本体３０の正面側には、操作部材５８を配設する操作部材配設部５３が設けられている。この操作部材配設部５３は、操作部材５８の形状に対応した長円形状の孔からなる。操作部材配設部５３の両側下部には、内向きに突出するバネ受部５４が設けられている。このバネ受部５４に操作用付勢部材である第２コイルバネ５５が配設され、この第２コイルバネ５５によって操作部材５８が上（外）向きに付勢される。
【００３０】
図１および図８Ａに示すように、装飾パネル３４には、操作部材配設部５３に対応し、操作部材５８を露出させる露出孔５６が設けられている。この露出孔５６の内周部と操作部材５８の外周部との間には、操作性を踏まえた遊びが設けられている。この遊びは、操作部材５８を直動操作したときに、操作部材５８が回動することを許容する隙間になる。そこで、図５および図８Ａに示すように、操作部材配設部５３の正面側中央には、操作部材５８の回動を規制するガイド部５７が設けられている。ガイド部５７は、カバー本体３０の内面から下向きに突出する一対のリブからなる。
【００３１】
図４および図６Ａ，Ｂに示すように、操作部材５８は、操作部材配設部５３内にロック部材４１の受部材４８に向けて直動可能に配設され、押圧操作によりロック部材４１を係止解除方向に回動させる。操作部材５８は平面視長円筒形状であり、下部には露出孔５６の下縁に係合する段部５９が設けられている。この段部５９は、Ｊ字形状の溝であり、装飾パネル３４の外側から浸入する水を受け、電気部品が無い蓋体２０の正面側へ誘導する。また、操作部材５８の下部には、操作部材配設部５３の下縁に係合する係合突部６０が設けられている。また、操作部材５８の内部両側には、第２コイルバネ５５を位置決めする一対の位置決め軸６１，６１が設けられ、その中心側に一対の補強リブ６２，６２が設けられている。
【００３２】
図６Ａ，Ｂ，Ｃに示すように、操作部材５８の内部中央には、ロック部材４１の押圧受部５１を押圧し、係止解除方向にロック部材４１を回動させる押圧部６３が設けられている。この押圧部６３は、操作部材５８の操作方向に突出するとともに、ロック部材４１の回動方向に延びる板状に形成される。押圧部６３の操作方向の先端縁には、押圧受部５１に摺接する第１および第２摺接部６４，６５が設けられている。
【００３３】
第１および第２摺接部６４，６５は、操作部材５８の操作方向前側に押圧受部５１が位置するように形成される。第１摺接部６４は、押圧受部５１に対して係止解除方向後側に位置し、操作部材５８の操作方向に突出するように、所定曲率で湾曲した曲線状に形成されている。第２摺接部６５は、押圧受部５１に対して係止解除方向前側に位置し、第１摺接部６４に対して交差する方向に延びる直線状に形成されている。具体的には、第１摺接部６４の交点である切替部６６から背面側に向けて、操作部材５８の操作方向逆向きに傾斜して延びる。第１および第２摺接部６４，６５は、操作部材５８の操作方向に対して直交方向に延びる基準線（面）に対する傾斜角度θ１，θ２が異なる。曲線状をなす第１摺接部６４の傾斜角度θ１とは、切替部６６を通る接線と、基準線とのなす角である。第２摺接部６５の傾斜角度θ２とは、基準線とのなす角である。そして、第１摺接部６４の傾斜角度θ１は、第２摺接部６５の傾斜角度θ２より小さく設定されている。
【００３４】
ここで、操作部材５８の第１および第２摺接部６４，６５とロック部材４１の押圧受部５１との関係について説明する。
【００３５】
操作部材５８を操作すると、第１摺接部６４の下側頂部が押圧受部５１を下向きに押圧する。これにより突出部４５を下向きに移動させ、回転軸３９を中心としてロック部材４１を係止解除方向に回動させる。その結果、回転軸３９に対して反対側に位置する係止爪部４４が、係止孔１６から離脱する方向に移動する。図７に示すように、操作部材５８の操作（押込）量に応じてロック部材４１が係止解除方向に回動する。ロック部材４１の回動により、押圧部６３と押圧受部５１との当接位置が、第１摺接部６４側から第２摺接部６５側へ移動する。そして、切替部６６を乗り越えると、押圧受部５１との当接位置が第２摺接部６５に切り替わる。
【００３６】
操作部材５８の操作量に対するロック部材４１の係止解除方向の回動（移動）量は、第１および第２摺接部６４，６５の傾斜角度θ１，θ２によって異なる。言い換えれば、第１および第２摺接部６４，６５の傾斜角度θ１，θ２によって、ロック部材４１の回動量を設定できる。本実施形態では、第１および第２摺接部６４，６５の傾斜角度θ１，θ２が異なるため、切替部６６を通過すると、ロック部材４１の回動量が変わる。その結果、切替部６６を乗り越える切替時には、傾斜角度θ１，θ２が異なる第１および第２摺接部６４，６５により、ユーザには操作部材５８を介して衝撃（節度感）が加わる。
【００３７】
節度感は、内鍋１１の内圧が低い状態で僅かに収縮する付勢力に設定した第１コイルバネ５２を用いることにより、切替時に第１コイルバネ５２が伸張し、ロック部材４１が僅かに係止方向に戻ることで、より確実に得ることができる。具体的には、第１コイルバネ５２は、傾斜角度θ１が小さい第１摺接部６４によって押圧される場合と、傾斜角度θ２が大きい第２摺接部６５によって押圧される場合とで圧縮量が異なる。第１摺接部６４よる圧縮量より、第２摺接部６５による圧縮量の方が小さい。よって、第１摺接部６４から第２摺接部６５に移ると、第１コイルバネ５２が伸張するため、その際の圧縮変化により節度感をより認識できる。そして、本実施形態では、係止孔１６と係止爪部４４との係止が解除されると同時（図８Ｃ参照）に、切替部６６を通過するように設定している。なお、係止が解除された以降に切り替わるように設定してもよい。
【００３８】
また、本実施形態では、第２摺接部６５の傾斜角度θ２を第１摺接部６４の傾斜角度θ１より大きくしている。そのため、係止解除後の第２摺接部６５によるロック部材４１の回動量は、係止解除前の第１摺接部６４によるロック部材４１の回動量より少なくなる。よって、キックバネ４６の付勢力を無視した無負荷状態では、第１摺接部６４によってロック部材４１を回動させる操作力より、第２摺接部６５によってロック部材４１を回動させる操作力の方が小さい。一方、キックバネ４６によって係止方向に付勢されたロック部材４１は、係止解除方向への回動量が増えるに従って反発力が大きくなる。即ち、キックバネ４６による反発力が大きくなる後半部分の操作力を、第２摺接部６５の傾斜角度θ２によって軽減できるようにしている。
【００３９】
図５および図８Ａに示すように、操作部材５８には、操作部材配設部５３のガイド部５７に当接する干渉部６７が設けられている。この干渉部６７は、操作部材５８の正面側中央において、操作部材５８の操作方向に沿って突出されている。図９に示すように、干渉部６７は、操作部材５８の操作により第２コイルバネ５５を収縮させると、ロック部材本体４２に当接する寸法で形成される。この当接位置は、ロック部材４１の回転軸３９に対して係止解除方向後側（係止方向）である回転中心部４３に位置するように設定されている。
【００４０】
ガイド部５７が設けられていない場合、図９中一点鎖線で示すように、露出孔５６と操作部材５８との間の遊びにより、操作部材５８が回動することができる。この場合、干渉部６７がロック部材４１に当接することなく、または、干渉部６７とロック部材４１の当接が滑って解除されることにより、押圧部６３だけが押圧受部５１に当接するように回動する。よって、内鍋１１の内圧が高い状態であっても、ロック部材４１を係止解除方向に回動させ、蓋体２０が開放される可能性がある。この操作部材５８の遊びによる回動を阻止するために、外側部材２９にガイド部５７が設けられ、操作部材５８に干渉部６７が設けられている。
【００４１】
次に、操作部材５８の開放操作によるロック部材４１の動作について説明する。
【００４２】
図８Ａに示すように、操作部材５８を操作していない状態では、操作部材５８が第２コイルバネ５５によって外向きに付勢され、ロック部材４１がキックバネ４６によって係止方向に付勢され、受部材４８が第１コイルバネ５２によって操作部材５８に向けて付勢されている。また、蓋体２０に配設したロック部材４１の係止爪部４４が、炊飯器本体１２に形成した係止孔１６に係止している。
【００４３】
蓋体２０が無負荷状態で操作部材５８を開放操作し、受部材４８に向けて直動させると、図８Ｂに示すように、押圧部６３の第１摺接部６４がロック部材４１の押圧受部５１に当接する。そして、操作部材５８を介して押圧受部５１を下向きに押圧することにより、ロック部材４１が係止解除方向に移動する。なお、操作部材５８の操作力は、ロック部材４１の移動が進むにつれて、キックバネ４６、第１コイルバネ５２および第２コイルバネ５５が弾性的に収縮されるため、増大する。
【００４４】
図８Ｃに示すように、操作部材５８の操作により、押圧受部５１と押圧部６３の当接部位が切替部６６に至ると、係止爪部４４と係止孔１６との係止が解除される。そして、切替部６６を乗り越えて、押圧受部５１と押圧部６３の当接部位が第２摺接部６５に移行すると、傾斜角度θ１，θ２の違いと第１コイルバネ５２の復元力により、ユーザには操作部材５８を介して切り替わりによる衝撃が伝わる。また、キックバネ４６および第２コイルバネ５５の収縮は継続されるが、第２摺接部６５の傾斜角度θ２が大きくなるため、操作部材５８の操作力は実質的に軽くなる。
【００４５】
図８Ｄに示すように、押圧受部５１と押圧部６３の当接部位が第２摺接部６５において進むと、係止爪部４４と係止孔１６との係止が完全に解除された状態をなす。そのため、ユーザが操作部材５８から手を離すと、ヒンジスプリングの付勢力によって、蓋体２０が開放方向に回動する。
【００４６】
このように、本発明の炊飯器１０は、係止爪部４４と係止孔１６との係止が解除される時に、押圧部６３と押圧受部５１との当接部位が第１摺接部６４から第２摺接部６５に移り替わるようにしている。そのため、係止解除時にユーザが節度感を得ることができる。その結果、炊飯器本体１２に対する蓋体２０の係止が解除されたことを認識できるため、ユーザの使用感を向上できる。また、これらの節度感および使用感は、第１および第２摺接部６４，６５の傾斜角度の違いより、一層向上される。また、押圧部６３は板状に形成され、その先端縁に第１および第２摺接部６４，６５を形成しているため、押圧部６３と押圧受部５１との間の摩擦抵抗を低減できる。よって、操作部材５８を操作する際の操作性を向上できる。
【００４７】
一方、本実施形態の炊飯器１０は、内鍋１１の内圧が上昇した炊飯中に、ユーザが誤って操作部材５８を操作することがある。この場合、図９に示すように、係止爪部４４と係止孔１６との間の摩擦抵抗の増大により、ロック部材４１は係止解除方向に回動することなく、第１コイルバネ５２を弾性的に収縮させて受部材４８だけが後退する。そして、干渉部６７がロック部材４１の回転中心部４３に当接することで、操作部材５８の操作が不可能になる。また、回転中心部４３を干渉部６７によって下向きに押圧すると、ロック部材４１は係止方向に回動する。
【００４８】
このように、内圧が高くなった状態で蓋体２０が開放されることを確実に防止できる。しかも、干渉部６７およびガイド部５７は、操作部材５８の押圧部６３だけがロック部材４１の押圧受部５１に当接するように回動することを阻止するため、ユーザが操作部材５８を無理押しすることで、ロック部材４１が係止解除方向に回動することを確実に防止できる。このように、意図しない蓋体２０の開放を確実に防止できるため、炊飯器１０の安全性を確実に向上できる。
【００４９】
なお、本発明の加熱機器は、前記実施形態の構成に限定されず、種々の変更が可能である。
【００５０】
例えば、前記実施形態では、操作部材５８の押圧部６３に傾斜角度が異なる第１および第２摺接部６４，６５を形成したが、図１０に示すように、ロック部材４１の押圧受部５１に傾斜角度が異なる第１および第２摺接部６４，６５を形成してもよい。この場合、基準線に対する傾斜角度が小さい第１摺接部６４をロック部材４１の係止解除方向前側に設け、基準線に対する傾斜角度が大きい第２摺接部６５をロック部材４１の係止解除方向後側に設ける。また、第１および第２摺接部６４，６５は、ロック部材４１の押圧受部５１および操作部材５８の押圧部６３の両方に形成してもよい。
【００５１】
また、前記実施形態では、第１摺接部６４を曲線状に形成し、第２摺接部６５を直線状に形成したが、第１摺接部６４を直線状に形成し、第２摺接部６５を曲線状に形成してもよい。また、両方の摺接部６４，６５を曲線状または直線状（図１０参照）に形成してもよい。また、曲線状の摺接部６４，６５は、凸状および凹状の曲線であってもよい。また、各摺接部６４，６５は線状に限らず、所定幅の面状に形成してもよい。また、曲面状とする場合、押圧受部５１または押圧部６３に向けて突出する曲線状に限らず、受け皿状に窪む曲線により構成してもよい。また、第１コイルバネ５２は、内鍋１１の内圧が低く、係止爪部４４が係止孔１６に圧接しない状態では、全く収縮しない付勢力に設定してもよい。
【００５２】
図１１に示すように、ロック部材４１は、係止爪部４４を有する回動可能なロック部材本体４２と、押圧受部５１を有する受部材４８とからなる構成に限らず、係止爪部４４および押圧受部５１を一体的に設けた構成としてもよい。また、ロック部材４１は、回転軸３９を中心として回動可能に配設する構成に限らず、横方向にスライド移動可能に配設する構成としてもよい。また、操作部材５８は、外側部材２９に対して直動可能に装着する構成に限らず、回動可能に装着する構成としてもよい。なお、操作部材５８を回動可能に装着する場合には、少なくともガイド部５７は設ける必要はない。
【００５３】
また、前記実施形態では、炊飯器本体１２に被係止部である係止孔１６を設け、蓋体２０にロック機構３８を配設したが、炊飯器本体１２にロック機構３８を配設し、蓋体２０に被係止部を設けてもよい。また、係止部および被係止部の構成も係脱可能に係止できる構成であれば、希望に応じて変更が可能である。
【００５４】
そして、前記実施形態では、本発明の加熱機器として炊飯器１０を例に挙げて説明したが、電磁調理器、電気ポットおよび加湿器などの加熱機器であればいずれでも適用可能であり、同様の作用および効果を得ることができる。
【符号の説明】
【００５５】
１０…炊飯器（加熱機器）
１１…内鍋
１２…炊飯器本体（機器本体）
１６…係止孔（被係止部）
２０…蓋体
２３…内側部材
２９…外側部材
３０…カバー本体
３４…装飾パネル
３８…ロック機構
３９…回転軸
４１…ロック部材
４２…ロック部材本体
４４…係止爪部（係止部）
４６…キックバネ（ロック用付勢部材）
４８…受部材
５１…押圧受部
５２…第１コイルバネ（受部用付勢部材）
５３…操作部材配設部
５５…第２コイルバネ（操作用付勢部材）
５６…露出孔
５７…ガイド部
５８…操作部材
６３…押圧部
６４…第１摺接部
６５…第２摺接部
６６…切替部
６７…干渉部
【図１】
2015213692.tif 000003
【図２】
2015213692.tif 000004
【図３】
2015213692.tif 000005
【図４】
2015213692.tif 000006
【図５】
2015213692.tif 000007
【図６Ａ】
2015213692.tif 000008
【図６Ｂ】
2015213692.tif 000009
【図６Ｃ】
2015213692.tif 000010
【図７】
2015213692.tif 000011
【図８Ａ】
2015213692.tif 000012
【図８Ｂ】
2015213692.tif 000013
【図８Ｃ】
2015213692.tif 000014
【図８Ｄ】
2015213692.tif 000015
【図９】
2015213692.tif 000016
【図１０】
2015213692.tif 000017
【図１１】
2015213692.tif 000018